(57)【要約】【課題】  本発明は、太陽光や、蛍光灯などの人工光などの光源の光を反射して、光源から放射された光の波長分布とは異なる波長分布を有する光を照射することができる照明装置及びこれを用いた植物栽培用照明装置を提供する。【解決手段】  本発明の照明装置Ｌは、光源Ｂと、この光源Ｂから放射された光の波長分布とは異なる波長分布を有する光を反射光として放射する光反射体Ａとを備えているので、光源から放射される光とは異なる波長領域の光を強調させ、従来の白色及び銀色反射板では表現できなかった色相にすることができ、色相が重視される用途において好適に用いることができる。【選択図】  図１
2011028914.tif 000002
【特許請求の範囲】
【請求項１】
光源と、この光源から放射された光の波長分布とは異なる波長分布を有する光を反射光として放射する光反射体とを備えていることを特徴とする照明装置。
【請求項２】
光反射体は、光源から放射された光を吸収し、蛍光又は燐光を放射することを特徴とする請求項１に記載の照明装置。
【請求項３】
光反射体は、光反射層の一面に発光体層が積層一体化されてなる光反射体であって、上記発光体層は、４００〜４７０ｎｍの波長領域に発光スペクトルのピークを有する発光体、又は、５７０〜７００ｎｍの波長領域に発光スペクトルのピークを有する発光体の何れか一方或いは双方を含有していることを特徴とする請求項１又は請求項２に記載の照明装置。
【請求項４】
光反射体の反射スペクトルにおいて、４００〜４７０ｎｍの波長領域における最大光線反射率と、４７０〜５７０ｎｍの波長領域における最小光線反射率との差をΔ1とし、５７０〜７００ｎｍの波長領域における最大光線反射率と、４７０〜５７０ｎｍの波長領域における最小光線反射率との差をΔ2としたとき、Δ1又はΔ2の何れか一方或いは双方が１％以上であることを特徴とする請求項３に記載の照明装置。
【請求項５】
光反射体の反射スペクトルにおいて、４００〜４７０ｎｍの波長領域における最大光線反射率、又は、５７０〜７００ｎｍの波長領域における最大光線反射率が１００％を越えていることを特徴とする請求項３に記載の光反射板。
【請求項６】
光源が蛍光灯であることを特徴とする請求項１に記載の照明装置。
【請求項７】
商品陳列棚上に配置された物品を照らすために用いられることを特徴とする請求項１に記載の照明装置。
【請求項８】
植物栽培に用いられることを特徴とする請求項１乃至請求項５の何れか１項に記載の照明装置。
【請求項９】
光源と、この光源から放射された光の波長分布とは異なる波長分布を有する光を反射する光反射体と、上記光源の前方に配設された植物栽培棚とを備えた植物栽培用照明装置。
【請求項１０】
光反射体は、円弧状に湾曲された状態で光源の後方に配設されている第一光反射体と、この第一光反射体の湾曲端部と植物栽培棚との間に配設された第二光反射体とを備えていることを特徴とする請求項９に記載の植物栽培用照明装置。
【発明の詳細な説明】
【技術分野】
【０００１】
本発明は、光源から放射された光の波長分布とは異なる波長分布を有する光を反射光として放射することができる照明装置及びこれを用いた植物栽培用照明装置に関する。
【背景技術】
【０００２】
現在、テレビやモニターなどのディスプレイ分野、シーリングライト、ダウンライト、防犯灯、非常灯、誘虫灯などの照明分野、広告灯などの電飾看板分野などにおいて、蛍光灯や冷陰極管などの光源からの光を有効に利用するために光源の背後に高反射性の光反射体が用いられている。この反射板は銀色又は白色であり、可視光領域において、光源から発せられる光のスペクトルを変化させることなく反射している。
【０００３】
又、防犯灯、誘虫灯に用いられている人工灯などのように、一部の波長の光を利用した照明などが提案されている。何れの方法も特定波長領域の光を放射するような特殊な光源を使用しているためにコストが高いといった問題点を有している。
【０００４】
例えば、特許文献１には、白色光の照明光を点灯する複数の白色ＬＥＤ（発光ダイオード）と、青色光の照明光を点灯する複数の青色ＬＥＤとを備えた屋外用照明器具が提案されている。この屋外用照明器具は、青色ＬＥＤから放射される青色光が人の副交感神経に作用して感情を落ち着かせる鎮静効果を有することを利用して防犯効果の向上を図ったものであるが、ＬＥＤを多量に用いる必要があり、コスト高となるという問題点を有している。
【０００５】
又、特許文献２には、白色光源としての蛍光灯と赤色光源としての赤色発光ダイオードとを備え、前記蛍光灯と赤色発光ダイオードの混合光で照明するものとなされている色補正照明装置が提案されている。
【０００６】
しかしながら、上記色補正照明装置では、蛍光灯に対して少ない光量の赤色発光ダイオードを用いて色補正を行っているので、照明装置から放射される光の色の変化としては僅かであると共に、赤色は人間の視感度が弱いことも相まって、照明による演出効果が期待ほど得られていないのが現状である。
【０００７】
そこで、赤色発光ダイオードの数を増加させ或いは赤色発光ダイオードの出力を大きくすることによって、照明装置から放射される光の色の変化を大きくすることも考えられるが、電力消費量が増加するといった別の問題を生じる。
【０００８】
一方、地球温暖化などの地球環境の変化に伴い干ばつや洪水などの異常気象が頻発し、更に、地球規模での人口増加に対応するべく、太陽光をレンズや光反射体などによって集光させて植物に照射し栽培する技術や、人工光を利用した植物栽培技術の開発が近年、急速に求められている。
【０００９】
特許文献３には、蛍光灯を用いた植物栽培装置が提案されている。植物の成長は、植物に照射される光の波長に大きく依存しているため、植物が吸収する波長領域の光をそれ程含まない蛍光灯の光の場合、蛍光灯の光の放射強度を強くする必要があり、電力消費量が高くなるという問題点があると共に、蛍光灯の発熱によって植物の栽培雰囲気温度の制御が困難となるといった問題点を有する。
【００１０】
又、特許文献４、５には、赤色ＬＥＤと青色ＬＥＤとを用いた植物育成装置が提案されているが、ＬＥＤは光の拡散性に劣るので、植物に均一に光を照射することが難しいといった問題点を有すると共に、ＬＥＤを用いていることからコスト高となるといった問題点も有していた。
【先行技術文献】
【特許文献】
【００１１】
【特許文献１】特開２００８−３０５７６８号公報
【特許文献２】特開２００８−２１０６６０号公報
【特許文献３】特開２００１−３５２８３８号公報
【特許文献４】実用新案登録第３１０５３６０号公報
【特許文献５】特開平９−２５２６５１号公報
【発明の概要】
【発明が解決しようとする課題】
【００１２】
本発明は、蛍光灯などの光源の光を反射して、光源から放射された光の波長分布とは異なる波長分布を有する光を照射することができる照明装置及びこれを用いた植物栽培用照明装置を提供する。
【課題を解決するための手段】
【００１３】
本発明の照明装置Ｌは、図１に示すように、光源Ｂと、この光源Ｂから放射された光の波長分布とは異なる波長分布を有する光を反射光として放射する光反射体Ａとを備えていることを特徴とする。
【００１４】
上記光源Ｂとしては、紫外領域及び／又は可視光領域に光を放射することができれば、特に限定されず、例えば、冷陰極管（ＣＣＦＬ）、蛍光灯、発光ダイオード（ＬＥＤ）、水銀灯、ＨＩＤランプ、白熱電球などが挙げられるが、光の拡散性能及び発光効率が優れており、発熱量が少ないので、蛍光灯が好ましい。なお、光源Ｂは、単独で用いられても二種以上が併用されてもよい。
【００１５】
蛍光灯は、一般的に、演色性によって３波長型と高演色型に、色によって白色型、昼光型、昼白型に、形状によって直管型、環状型などに分類されるが、本発明の照明装置Ｌでは何れの種類の蛍光灯であっても用いることができる。
【００１６】
そして、光源Ｂの後方には、図１に示したように、例えば、平面矩形状のシートを凸円弧状に成形又は変形させてなる光反射体Ａが光源Ｂから所定間隔を存して配設されている。この光反射体Ａは、光源Ｂから放射された光の一部を吸収し、光源Ｂから放射された光の波長分布とは異なる波長分布を有する光を反射光として放射する。
【００１７】
上記光反射体Ａとしては、特に限定されず、例えば、発光体を含有する光反射体、光反射層の一面に発光体を含有する発光体層が積層一体化されてなる光反射体などが挙げられ、図２に示したような、光反射層１の一面に発光体を含有する発光体層２が積層一体化されてなる光反射体が好ましく、光反射層１の一面に発光体層２が積層一体化されてなる光反射体であって、上記発光体層２は、４００〜４７０ｎｍの波長領域に発光スペクトルのピークを有する発光体、又は、５７０〜７００ｎｍの波長領域に発光スペクトルのピークを有する発光体の何れか一方或いは双方を含有している光反射体がより好ましい。なお、図２では、一例として板状の光反射体を示した。
【００１８】
次に、光反射層１の一面に発光体層２が積層一体化されてなる光反射体であって、上記発光体層２は、４００〜４７０ｎｍの波長領域に発光スペクトルのピークを有する発光体、又は、５７０〜７００ｎｍの波長領域に発光スペクトルのピークを有する発光体の何れか一方或いは双方を含有している光反射体について詳細に説明する。
【００１９】
光反射層１としては、発光体層２中に含有させている発光体が発光する波長領域の光を反射させることができればよく、好ましくは、発光体層２中に含有させている発光体が吸収する波長領域の光を更に反射させることができればよい。光反射層１の光線全反射率は、８０％以上が好ましく、８５％以上がより好ましく、９０％以上が特に好ましい。
【００２０】
このような光反射層１としては、例えば、酸化チタンやシリカなどの粒子を含有させている光反射性非発泡シート又は発泡シート、互いに非相溶の合成樹脂を混合してなる混合樹脂からなるシートを延伸して多数のボイドを形成してなる非発泡シート、フィラーを含有するシートを延伸して多数のボイドを形成してなる非発泡シート、微細な気泡を多量に含んだ光反射性発泡シートなどが挙げられ、熱成形可能であるものが好ましい。なお、光反射層１は、上記非発泡シート又は発泡シートを適宜選択して複数層、積層一体化させたものであってもよい。又、光反射体の剛性や成形性の向上を目的として光反射性の低い発泡体層又は非発泡体層を光反射層１の他面に積層一体化させてもよい。
【００２１】
光反射層１を構成している合成樹脂としては、特に限定されず、例えば、低密度ポリエチレン、高密度ポリエチレン、ポリプロピレン、環状ポリオレフィンなどのポリオレフィン系樹脂、ポリエチレンテレフタレート、ポリエチレンナフタレート、ポリブチレンテレフタレート、ポリ乳酸などのポリエステル系樹脂、ナイロン−６、ナイロン−６，６などのポリアミド系樹脂、ポリスチレン、ＡＢＳ樹脂、ＡＳ樹脂などのポリスチレン系樹脂、ポリカーボネート、ポリエステルカーボネートなどのポリカーボネート系樹脂、ポリ塩化ビニル、ポリ塩化ビニリデンなどの塩素系樹脂、ポリメチルメタクリレート、ポリエチルメタクリレートなどのアクリル系樹脂などの熱可塑性樹脂が挙げられる。なお、合成樹脂は単独で用いられても二種以上が併用されてもよい。
【００２２】
上記光反射性非発泡シート又は発泡シートに含有される粒子としては、例えば、酸化亜鉛、亜鉛華、タルク、炭酸カルシウム、酸化チタンなどが挙げられ、合成樹脂との屈折率の差が大きく反射性の高い酸化チタンが好ましい。
【００２３】
酸化チタンは、ルチル型、アナターゼ型、ブルツカイト型があるが、ルチル型酸化チタンが好ましい。酸化チタンは通常、その光触媒作用により樹脂を劣化させてしまうため、酸化チタンには表面処理をすることが好ましい。
【００２４】
合成樹脂シート中における酸化チタンの含有量は、少ないと、光反射体の光反射性能が低下する一方、多いと、光反射体の軽量性も低下するので、５０〜２００ｇ／ｍ2が好ましく、５０〜１５０ｇ／ｍ2がより好ましい。
【００２５】
次に、光反射層１上に積層一体化されてなる発光体層２について説明する。この発光体層２は、合成樹脂中に、４００〜４７０ｎｍの波長領域に発光スペクトルのピークを有する発光体、又は、５７０〜７００ｎｍの波長領域に発光スペクトルのピークを有する発光体の何れか一方或いは双方を含有している。
【００２６】
本発明の光反射体は、発光体層２に入射した入射光の一部を発光体が吸収し、発光体はそれぞれが有している発光領域、即ち、４００〜４７０ｎｍの波長領域又は５７０〜７００ｎｍの波長領域に光を発する。
【００２７】
即ち、発光体層２に含まれている発光体が４００〜４７０ｎｍの波長領域の光（青系の光）又は５７０〜７００ｎｍの波長領域の光（赤系の光）を放射することによって、光反射体によって反射される反射光は、入射光に比して、青系又は赤系の光の何れか一方或いは双方が強調されている。
【００２８】
従って、青系又は赤系の光の何れか一方或いは双方を強調することによって、青系又は赤系の光を人間の目が認識しやすくなり、照明としての演出効果を発揮させて色相を重視する用途に好適に用いることができる。
【００２９】
なお、発光体層２には、４００〜４７０ｎｍの波長領域に発光スペクトルのピークを有する発光体、又は、５７０〜７００ｎｍの波長領域に発光スペクトルのピークを有する発光体の何れか一方だけが含有されていても、４００〜４７０ｎｍの波長領域に発光スペクトルのピークを有する発光体、及び、５７０〜７００ｎｍの波長領域に発光スペクトルのピークを有する発光体の双方が含有されていてもよいが、４００〜４７０ｎｍの波長領域に発光スペクトルのピークを有する発光体と、５７０〜７００ｎｍの波長領域に発光スペクトルのピークを有する発光体の何れを含有させるのか或いは双方を含有させるのかは、発光体層２に入射する入射光のスペクトルに応じて適宜、調整すればよい。
【００３０】
又、発光体層２に、４００〜４７０ｎｍの波長領域に発光スペクトルのピークを有する発光体、又は、５７０〜７００ｎｍの波長領域に発光スペクトルのピークを有する発光体が含有されている場合、光反射体の反射スペクトルにおいて、４００〜４７０ｎｍの波長領域における最大光線反射率と、４７０〜５７０ｎｍの波長領域における最小光線反射率との差をΔ1とし、５７０〜７００ｎｍの波長領域における最大光線反射率と、４７０〜５７０ｎｍの波長領域における最小光線反射率との差をΔ2としたとき、Δ1又はΔ2が１％以上であることが好ましい。
【００３１】
このように、Δ1又はΔ2を１％以上となるように調整することによって、光反射体の反射光において、緑系の光に比して視感度が劣る青系又は赤系の光を人間の目が認識しやすくなる。
【００３２】
更に、発光体層２に、４００〜４７０ｎｍの波長領域に発光スペクトルのピークを有する発光体、又は、５７０〜７００ｎｍの波長領域に発光スペクトルのピークを有する発光体が含有されている場合、光反射体の反射スペクトルにおいて、４００〜４７０ｎｍの波長領域における最大光線反射率、又は、５７０〜７００ｎｍの波長領域における最大光線反射率が１００％を越えていることが好ましい。このように調整することによって、光反射体の反射光において入射光よりも青系の光又は赤系の光の光量を多くして更に確実に強調することができ、緑系の光に比して視感度が劣る青系又は赤系の光を人間の目がより認識しやすくなる。
【００３３】
又、発光体層２に、４００〜４７０ｎｍの波長領域に発光スペクトルのピークを有する発光体、及び、５７０〜７００ｎｍの波長領域に発光スペクトルのピークを有する発光体が含有されている場合、光反射体の反射スペクトルにおいて、４００〜４７０ｎｍの波長領域における最大光線反射率と、４７０〜５７０ｎｍの波長領域における最小光線反射率との差をΔ1とし、５７０〜７００ｎｍの波長領域における最大光線反射率と、４７０〜５７０ｎｍの波長領域における最小光線反射率との差をΔ2としたとき、Δ1及びΔ2が１％以上であることが好ましい。
【００３４】
このように、Δ1及びΔ2を１％以上となるように調整することによって、光反射体の反射光において、青系の光及び赤系の光をより確実に強調することができ、緑系の光に比して視感度が劣る青系及び赤系の光を人間の目がより認識しやすくなる。
【００３５】
更に、発光体層２に、４００〜４７０ｎｍの波長領域に発光スペクトルのピークを有する発光体、及び、５７０〜７００ｎｍの波長領域に発光スペクトルのピークを有する発光体が含有されている場合、光反射体の反射スペクトルにおいて、４００〜４７０ｎｍの波長領域における最大光線反射率、及び、５７０〜７００ｎｍの波長領域における最大光線反射率が１００％を越えていることが好ましい。このように調整することによって、光反射体の反射光において入射光よりも青系の光及び赤系の光の光量を多くして更に確実に強調することができ、緑系の光に比して視感度が劣る青系及び赤系の光を人間の目がより認識しやすくなる。
【００３６】
なお、発光体層２を構成している合成樹脂は、光反射層１を構成している合成樹脂と同様であるのでその説明を省略する。発光体層２を構成している合成樹脂と、光反射層１を構成している合成樹脂は相違していてもよい。
【００３７】
発光体層２中に含有されている発光体としては、蛍光若しくは燐光を生じる顔料又は染料が用いられる。蛍光とは、励起一重項状態から基底状態へ遷移するときに放出される光のことをいい、工業的には、この現象を利用した発光体が蛍光顔料、蛍光染料として広く利用されている。
【００３８】
又、燐光とは、励起三重項状態から基底状態へ遷移するときに放出される光のことをいい、工業的には、この現象を利用した発光体が蓄光顔料、蓄光染料として広く利用されている。
【００３９】
４００〜４７０ｎｍの波長領域に発光スペクトルのピークを有する発光体、又は、５７０〜７００ｎｍの波長領域に発光スペクトルのピークを有する発光体には、有機系の色素構造を有する有機系発光体、無機系の色素構造を有する無機系発光体がある。
【００４０】
有機系発光体としては、例えば、キサンテン系、クマリン系、ペリレン系、ナフタルイミド系、アクリジン系、チオフラビン系、ジアミノスチルベン系、イミダゾール系、チアゾール系、オキサゾール系、ピラゾリン系、アンスラキノン系、メチン系、ベンゾピラン系、チオインジゴ系、アゾ系、フタロシアニン系などの有機系色素構造を有する発光体が挙げられる。有機系発光体は、単独で用いられても二種以上が併用されもよい。
【００４１】
又、無機系発光体としては、例えば、ＺｎＳ、（ＺｎＣｄ）Ｓなどの硫化物、Ｚｎ2ＳｉＯ4、Ｃｄ2Ｂ2Ｏ5、ＹＶＯ3、ＣａＷＯ4などの酸化物などの無機系色素構造を有する発光体が挙げられる。無機系発光体は、単独で用いられても二種以上が併用されもよい。
【００４２】
なお、４００〜４７０ｎｍの波長領域に発光スペクトルのピークを有する発光体、即ち、紫外領域の光を吸収して４００〜４７０ｎｍの波長領域の蛍光若しくは燐光を発する顔料又は染料としては、クラリアント社から商品名「ホスタルックス  ＫＣＢ」、イーストマン社から商品名「ＯＢ−１」、住友精化社から商品名「ＴＢＯ」、日本層達社から商品名「ケイコール」、日本化薬社から商品名「カヤライト」、ＢＡＳＦ社から商品名「Ｌｕｍｏｇｅｎ  Ｆ  Ｂｌｕｅ  ６５０」及び「Ｌｕｍｏｇｅｎ  Ｆ  Ｖｉｏｌｅｔ  ５７０」、シンロイヒ社から商品名「ＦＺ−２８０８」、「ＦＺ−ＳＢ」及び「ＦＺ−５００９」、デイグロ社から商品名「ＺＱ−１９」及び「ＩＰＯ−１９」にて市販されている。
【００４３】
又、５７０〜７００ｎｍの光の波長領域に発光スペクトルのピークを有する発光体、即ち、紫外領域又は可視光領域の光を吸収して５７０〜７００ｎｍの波長領域の蛍光又は燐光を発する顔料又は染料としては、例えば、日本化薬社から商品名「カヤクリルローダミンＦＢ」、ＢＡＳＦ社から商品名「Ｌｕｍｏｇｅｎ  Ｆ  Ｒｅｄ  ３０５」、シンロイヒ社から商品名「ＦＺ−２８０３」、「ＦＺ−２８０１」、「ＦＺ−２８１７」、「ＦＸ−３０１」、「ＦＸ−３０３」、「ＦＸ−３０７」及び「ＦＸ−３２７」、デイグロ社から商品名「ＮＸ−１３」、「ＧＰＬ−１３」、「Ｚ−１３」及び「ＩＰＯ−１３」、猪名川顔料社から商品名「ローダミンＢレーキ」にて市販されている。
【００４４】
発光体層２中における発光体の総量は、少ないと、発光体層の発光量が少なくなるので、合成樹脂１００重量部に対して０．０１重量部以上が好ましく、多くても、発光体層２の発光量に変化はないので、合成樹脂１００重量部に対して６５重量部以下が好ましく、３０重量部以下がより好ましい。
【００４５】
上記光反射層１及び発光体層２には、これらの物性を損なわない範囲内において、紫外線吸収剤、光安定剤、酸化防止剤、金属不活性剤などの安定剤、帯電防止剤、難燃剤などの添加剤が添加されていてもよい。
【００４６】
次に、上記光反射体の製造方法について説明する。光反射体の製造方法としては、特に限定されず、例えば、（１）熱可塑性樹脂と、発光体とを含有する発光体層用熱可塑性樹脂組成物を第一押出機に供給して溶融混練する一方、熱可塑性樹脂と上記粒子とを含有する光反射層用熱可塑性樹脂組成物を第二押出機に供給して溶融混練し、第一、第二押出機を接続させている同一のダイに発光体層用熱可塑性樹脂組成物及び光反射層用熱可塑性樹脂組成物を供給して共押出しすることによって、光反射層用熱可塑性樹脂組成物からなる光反射層の一面に、発光体層用熱可塑性樹脂組成物からなる発光体層を積層一体化して光反射シートを製造し、この光反射シートを必要に応じて汎用の成形方法を用いて所望形状に成形する光反射体の製造方法、（２）予め用意した所望形状を有する光反射層上に、発光体を含有する塗料を塗布、乾燥させて発光体層を積層一体化して光反射体を製造する方法などが挙げられる。なお、図１では、光反射体Ａが凸円弧状に成形されている場合を説明したが、光反射体Ａの形状は特に限定されず、下向きコ字状などの任意の形状の他、光反射シートを成形することなく板状のまま光反射体として用いてもよい。
【００４７】
又、上記（１）の製造方法と同様の要領で、光反射層用熱可塑性樹脂組成物からなる光反射層の一面に、発光体層用熱可塑性樹脂組成物からなる発光体層を積層一体化して光反射シートを製造する一方、予め所望形状に成形された金属などの任意の材料からなる支持部材を用意し、この支持部材の表面に光反射シートを支持部材に沿って変形させながら配設することによって光反射体を製造してもよい。
【００４８】
このようにして得られた光反射体は、発光体層２中に４００〜４７０ｎｍの波長領域に発光スペクトルのピークを有する発光体、又は、５７０〜７００ｎｍの波長領域に発光スペクトルのピークを有する発光体の何れか一方或いは双方を含有している場合、光源Ｂから放射されて光反射体の発光体層２に入射した光を発光体が吸収して、これらの発光体が、４００〜４７０ｎｍの波長領域に発光スペクトルのピークを有する光又は５７０〜７００ｎｍの波長領域に発光スペクトルのピークを有する光の一方或いは双方を放射する。
【００４９】
しかも、発光体に吸収されることなく発光体層２を透過した入射光は、光反射層１によって発光体層２側に反射され、発光体層２中を再度、通過する途上に発光体に吸収されて上述のような発光スペクトルを有する光を放射し、更に、発光体が放射した光のうち、光反射層１側に放射された光も光反射層１が発光体層２側に反射する。従って、発光体層２の発光体から放射された上述のような発光スペクトルを有する光は発光体層２から効率良く放射される。
【００５０】
従って、本発明の照明装置Ｌによれば、光源Ｂから放射されて光反射体Ａに入射した光よりも光反射体Ａから放射された光の方が、発光体層２中の発光体の発光作用により、４００〜４７０ｎｍの波長領域又は５７０〜７００ｎｍの波長領域における光量が多いため、緑系の光に比して視感度が劣る青系又は赤系の光を人間の目がより認識しやすくなり、色相の重視される用途に好適に用いることができる。
【００５１】
上述の色相の重視される用途の一つとして、例えば、小売店などに配設されている商品陳列棚上に配置されている物品を照らす照明用途に上記照明装置を用いることができる。なお、物品としては、特に限定されず、例えば、食品、衣類、貴金属製品などが挙げられる。
【００５２】
例えば、発光体層２に含まれている発光体が、４００〜４７０ｎｍの波長領域に発光スペクトルのピークを有する発光体である場合、照明装置から放射される光は、青系の光が強調されており、商品陳列棚に配置されている物品を青系の色相に近づけた状態に視認させることができる。
【００５３】
又、発光体層２に含まれている発光体が、５７０〜７００ｎｍの波長領域に発光スペクトルのピークを有する発光体である場合、照明装置から放射される光は、赤系の光が強調されており、商品陳列棚に配置されている物品を赤系の色相に近づけた状態に視認させることができる。
【００５４】
このように、本発明の照明装置によって商品陳列棚上に配置された物品を照らすことによって、物品を青系又は赤系の色相に近づけた状態に視認させて商品価値を向上させることができる。
【００５５】
例えば、商品陳列棚上に、冷たい飲料が配置されている場合には、発光体層２に、４００〜４７０ｎｍの波長領域に発光スペクトルのピークを有する発光体を含有させることによって、冷たい飲料を青系の色相に近づけた状態に視認させ、飲料に更に涼感を与えて飲料の販促を図ることができる。
【００５６】
又、商品陳列棚上に、温かい飲料が配置されている場合には、発光体層２に、５７０〜７００ｎｍの波長領域に発光スペクトルのピークを有する発光体を含有させることによって、温かい飲料を赤系の色相に近づけた状態に視認させ、飲料に更に温かい印象を与えて飲料の販促を図ることができる。
【００５７】
上述では、本発明の照明装置Ｌで用いられている光反射体Ａは、緑系の光に比して視感度が劣る青系又は赤系の光を人間の目が認識しやすくなっていることから、色相の重視される用途に好適に用いることができることを説明したが、植物栽培用途にも好適に用いることができる。
【００５８】
上述の通り、本発明の照明装置Ｌの光源Ｂから光反射体Ａに光を照射すると、発光体層２に含まれている発光体の作用によって、従来の白色又は銀色の光反射体で反射された反射光よりも、光反射体Ａで反射された反射光の方が、４００〜４７０ｎｍの波長領域又は５７０〜７００ｎｍの波長領域の何れか一方或いは双方において光量が多くなっている。
【００５９】
そして、４００〜４７０ｎｍの波長領域の光、及び、５７０〜７００ｎｍの波長領域の光は植物の生育に有効な光であり、よって、本発明の照明装置Ｌによれば、冷陰極管（ＣＣＦＬ）、蛍光灯などの人工光、特に蛍光灯を用いて植物栽培をする場合、植物の生育に有効な光をより多く植物に照射させることができるので、植物の生育の促進を図ることができる。更に、人工光、特に蛍光灯を用いた場合、光源の消費電力の節減も図ることができる。
【００６０】
上述のように、本発明の照明装置Ｌを植物栽培用に用いる場合には、例えば、図３に示したように、照明装置Ｌの光源Ｂの前方に所定間隔を存して、水耕栽培棚、土壌栽培棚などの植物栽培棚Ｃを配設し、光反射体Ａから放射される反射光が植物栽培棚Ｃにて育成されている植物に照射されるようにすればよい。
【００６１】
そして、照明装置Ｌの光源として蛍光灯を用いた場合には、蛍光灯からは光が全方向に放射状に放出され、この放射された光は光反射体Ａによって拡散されながら反射されるので、光源Ｂの前方に配設された植物栽培棚Ｃにて育成されている植物に必要な光が略均一に照射され、植物栽培棚Ｃ内の植物を安定的に且つ確実に育成することができる。
【００６２】
更に、図３の植物栽培用照明装置Ｌでは、光反射体Ａと植物栽培棚Ｃとの間に隙間が形成されており、光反射体Ａで反射された反射光が植物栽培棚Ｃ以外の部分に照射され、植物の栽培の効率が低下することがある。
【００６３】
このような場合には、図４に示したように、植物栽培用照明装置Ｌにおける凸円弧状に成形された光反射体Ａを第一光反射体Ａとし、この第一光反射体Ａの両端、即ち、光反射体Ａの湾曲端部A1、A1と、植物栽培棚Ｃとの間に、第二光反射体Ｄを配設し、第一光反射体Ａから放射された反射光を第二光反射体Ｄで植物栽培棚Ｃ方向に反射させることによって、第一光反射体Ａで反射された光を効率良く植物栽培棚Ｃにて育成されている植物に照射し、植物の生育をより確実なものとすることができる。
【００６４】
そして、第二光反射体Ｄで反射された光は、第二光反射体Ｄにて更に拡散されるので植物栽培棚Ｃにて育成されている植物に必要な光をより均一に且つ確実に照射することができる。
【００６５】
上記第二光反射体Ｄは、第一光反射体Ａと同一の構成の光反射体が用いられてもよいし、或いは、第一光反射体Ａと相違する構成の光反射体が用いられてもよく、第二光反射体Ｄも、第一光反射体Ａと同様に、光源Ｂから放射された光の波長分布とは異なる波長分布の光を反射光として放射するように構成されていることが好ましい。
【発明の効果】
【００６６】
本発明の照明装置は、光源から放射された光の波長分布とは異なる波長分布を有する光を反射光として放射する光反射体を備えているので、光源から放射される光とは異なる波長領域の光を強調させ、従来の白色及び銀色反射板では表現できなかった色相にすることができ、照明の演出効果を発揮させ、例えば、商品陳列棚上に配置した物品の照明用途などの色相が重視される用途において好適に用いることができる。
【００６７】
そして、上記照明装置において、光反射層の一面に発光体層が積層一体化されてなる光反射体であって、上記発光体層は、４００〜４７０ｎｍの波長領域に発光スペクトルのピークを有する発光体、又は、５７０〜７００ｎｍの波長領域に発光スペクトルのピークを有する発光体の何れか一方或いは双方を含有している場合には、光反射体から放射される反射光は、４００〜４７０ｎｍの波長領域（青系）又は５７０〜７００ｎｍの波長領域（赤系）の光が強調され、人間の目では認識しにくい青色又は赤色を認識しやすくすることができ、照らされた物体の色相を変え、従来の白色及び銀色反射板では表現できなかった色相にすることができ、色相が重視される用途においてより好適に用いることができる。
【００６８】
更に、上記照明装置は、入射光よりも反射光の方が、植物の生育に有効な波長領域において、即ち、４００〜４７０ｎｍの波長領域又は５７０〜７００ｎｍの波長領域の一方或いは双方において、光量が多くなっており、特定波長領域の光を放射するＬＥＤなどを用いることなく、蛍光灯などの一般的な光源を用いて植物の生育の促進を図ることができる。
【００６９】
そして、上記照明装置は、光源の消費電力を増加させる必要がないので、省エネルギー化を図ることができ且つ光源から放散される熱を抑制して植物の育成雰囲気の温度制御を容易に行うことができ、植物栽培をより確実に且つ効率的に行うことができる。
【図面の簡単な説明】
【００７０】
【図１】本発明の照明装置を示した模式側面図である。
【図２】本発明の照明装置で用いられている光反射体の原反シートの一例を示した縦断面図である。
【図３】本発明の植物栽培用照明装置を示した模式側面図である。
【図４】本発明の植物栽培用照明装置の他の一例を示した模式側面図である。
【図５】実施例で作製した照明装置を示した模式側面図である。
【図６】実施例１〜３及び比較例１の光反射体の反射スペクトルを示したグラフである。
【発明を実施するための形態】
【００７１】
（実施例１）
ポリプロピレン（サンアロマー社製  商品名「ＰＬ５００Ａ」）１００重量部及び発光体として蛍光染料（クラリアント社製  商品名「ホスタルックス  ＫＣＢ」）０．１重量部を含有する発光体層用熱可塑性樹脂組成物を第一押出機に、ポリプロピレン（サンアロマー社製  商品名「ＰＬ５００Ａ」）１００重量部、及び、エチレン−プロピレンブロック共重合体中にルチル型酸化チタンを含有させたマスターバッチ（東洋インキ社製  商品名「ＰＰＭ  １ＫＢ６６２  ＷＨＴ  ＦＤ」、エチレン−プロピレンブロック共重合体：酸化チタン＝３０重量％：７０重量％）１００重量部を含有する光反射層用熱可塑性樹脂組成物を第二押出機に、ポリプロピレン（サンアロマー社製  商品名「ＰＬ５００Ａ」）２４重量部、ポリプロピレン（日本ポリプロ社製  商品名「ＦＢ３３１２」）７６重量部、エチレン−プロピレンブロック共重合体中にルチル型酸化チタンを含有させたマスターバッチ（東洋インキ社製  商品名「ＰＰＭ  １ＫＢ６６２  ＷＨＴ  ＦＤ」、エチレン−プロピレンブロック共重合体：酸化チタン＝３０重量％：７０重量％）２５重量部、及び、気泡剤として重炭酸ナトリウムとクエン酸との混合物１．４重量部を含有する発泡体層用熱可塑性樹脂組成物を第三押出機に供給して溶融混練し、第一〜三押出機から発光体層用熱可塑性樹脂組成物、光反射層用熱可塑性樹脂組成物及び発泡体層用熱可塑性樹脂組成物を合流ダイに押出し、発泡体層用熱可塑性樹脂組成物からなる断面円環状の発泡性樹脂層と、この発泡性樹脂層の外面に積層され且つ光反射層用熱可塑性樹脂組成物からなる断面円環状の非発泡性樹脂層と、この非発泡性樹脂層の外面に積層され且つ発光体層用熱可塑性樹脂組成物からなる断面円環状の発光樹脂層とからなる積層体を形成し、この積層体を合流ダイに接続させた環状ダイに供給し、環状ダイから円筒状に押出発泡させて円筒状発泡体を得た。
【００７２】
しかる後、円筒状発泡体を徐々に拡径させた後に冷却マンドレルに供給して成形しながら冷却した後、円筒状発泡体を径方向の対向する二点において押出し方向に連続的に内外周面間に亘って切断することによって切り開いて展開し、全体の密度が０．７ｇ／ｃｍ3である光反射シートを得た。
【００７３】
なお、光反射シートは、発泡性樹脂層を発泡させてなる厚みが０．５ｍｍの発泡体層３上に、非発泡性樹脂層からなる厚みが０．１５ｍｍの光反射層１が積層一体化されてなり、更に、光反射層１上に発光樹脂層から形成されてなる厚みが０．０５ｍｍの発光体層２が積層一体化されていた。
【００７４】
得られた光反射シートを短辺５０ｃｍ×長辺１２０ｃｍの平面矩形状に裁断した。一方、長辺方向の全長に亘って凸円弧状に成形された鉄製の支持部材Ｅを用意し、この支持部材Ｅの内側表面に光反射シートをその発光体層２が露出した状態となるように支持部材Ｅに沿って凸円弧状に変形させながら積層一体化して光反射体Ａを製造した（図５参照）。
【００７５】
次に、光反射体Ａの発光体層２の前方に蛍光灯Ｂを配設し、支持部材に取り付けられたソケット部（図示せず）に蛍光灯Ｂを電気的に接続させることによって照明装置Ｌを作製した。そして、照明装置Ｌの前方に水耕栽培棚を配設して植物栽培用に用いた。
【００７６】
（実施例２）
発光体として、蛍光染料の代わりに、蛍光顔料（シンロイヒ社製  商品名「ＦＸ−３０７」）１重量部を用いたこと以外は実施例１と同様にして照明装置Ｌを作製した。そして、照明装置Ｌの前方に水耕栽培棚を配設して植物栽培用に用いた。
【００７７】
（実施例３）
発光体として、蛍光染料を単独で用いる代わりに、蛍光染料（クラリアント社製  商品名「ホスタルックス  ＫＣＢ」）０．１重量部及び蛍光顔料（シンロイヒ社製  商品名「ＦＸ−３０７」）１重量部を併用したこと以外は実施例１と同様にして照明装置Ｌを作製した。そして、照明装置Ｌの前方に水耕栽培棚を配設して植物栽培用に用いた。
【００７８】
（比較例１）
発光体を用いなかったこと以外は実施例１と同様にして照明装置Ｌを作製した。
【００７９】
得られた照明装置について、下記の要領で光線反射率を測定し、その結果を表１及び図６に示した。
【００８０】
（光線反射率）
照明装置の光反射体の光線反射率の測定には分光測色計（コニカミノルタ社製  商品名「ＣＭ−２６００ｄ」）を使用し、ＪＩＳ  Ｚ  ８７２２に準拠し、測定雰囲気の室温が２０℃、測定雰囲気の相対湿度が６０％の条件において、光反射体の光線反射率を３６０〜７４０ｎｍの波長領域において１０ｎｍ毎に測定した。
【００８１】
得られた光線反射率において、４００〜４７０ｎｍの波長領域、及び、５７０〜７００ｎｍの波長領域において最大光線反射率を求め、４７０〜５７０ｎｍの波長領域において最小光線反射率を求めた。
【００８２】
４００〜４７０ｎｍの波長領域における最大光線反射率と、４７０〜５７０ｎｍの波長領域における最小光線反射率との差Δ1を算出すると共に、５７０〜７００ｎｍの波長領域における最大光線反射率と、４７０〜５７０ｎｍの波長領域における最小光線反射率との差Δ2を算出した。
【００８３】
【表１】
2011028914.tif 000003
【符号の説明】
【００８４】
１     光反射層
２     発光体層
Ａ     光反射体、第一光反射体
A1     湾曲端部
Ｂ     光源
Ｃ     植物栽培棚
Ｄ     第二光反射体
Ｌ     照明装置、植物栽培用照明装置
【図１】
2011028914.tif 000004
【図２】
2011028914.tif 000005
【図３】
2011028914.tif 000006
【図４】
2011028914.tif 000007
【図５】
2011028914.tif 000008
【図６】
2011028914.tif 000009